(57)【要約】【課題】本考案は、一般的な電力供給システムの中で、元々の作動方式を維持しつつ、停電時に、貯蔵していた電力を出力して照明器具の稼働維持させることができる、無停電照明器具を提供する。【解決手段】少なくとも一つの発光素子と、前記発光素子に連結されて作動する駆動連結モジュールとからなる。また、前記駆動連結モジュールは、電力信号を受信するワイヤレス受信器と、前記ワイヤレス受信器に電気的に接続されて起動させる電源供給ユニットと、前記電源供給ユニットから生じた電気エネルギーを前記発光素子に送る駆動ユニットと、前記電源供給ユニットと一緒に作動して前記電源供給ユニットの電力を維持させる充電ユニットとからなる。前記ワイヤレス受信器は、電源検知装置にデータリンクされ、前記電源検知装置は、電力供給線に接続される。【選択図】図１
0003175935.tif 000002
【実用新案登録請求の範囲】
【請求項１】
少なくとも一つの発光素子と、前記発光素子に連結されて作動する駆動連結モジュールとからなる、無停電照明器具であって、
前記駆動連結モジュールは、電力信号を受信するワイヤレス受信器と、前記ワイヤレス受信器に電気的に接続されて起動させる電源供給ユニットと、前記電源供給ユニットから生じた電気エネルギーを前記発光素子に送る駆動ユニットと、前記電源供給ユニットと一緒に作動して前記電源供給ユニットの電力を維持させる充電ユニットとからなることを特徴とする、無停電照明器具。
【請求項２】
前記無停電照明器具は、電源検知装置を備え、前記電源検知装置は、
電力信号を前記ワイヤレス受信器へ発射するワイヤレス発射器と、電力供給線が電圧異常信号の状態でも前記電源検知装置及び前記ワイヤレス発射器が電力信号を発することができるのに十分な電力が保存されている電力供給素子と、前記電力供給線の電力状態を検知する電力検知ユニットと、前記電力検知ユニットから生じた電圧異常信号を受信して制御信号を前記ワイヤレス発射器へと発する制御ユニットと、からなることを特徴とする、請求項１に記載の無停電照明器具。
【請求項３】
前記電源検知装置には、さらに、交流変圧器が設けられることを特徴とする、請求項２に記載の無停電照明器具。
【請求項４】
前記ワイヤレス受信器は、電源検知装置にデータリンクされ、前記電源検知装置は電力供給線に接続され、前記照明器具は、操作者が使用するための導通スイッチに連結され、前記駆動連結モジュールは、前記発光素子を作動させるための緊急電力供給機能を備え、前記発光素子は、ハロゲンランプ、白熱灯、蛍光灯、或いは、発光ダイオード（Ｌｉｇｈｔ  Ｅｍｉｔｔｉｎｇ  Ｄｉｏｄｅ，ＬＥＤ）の内の一つであり、前記照明器具は、電球、蛍光灯、或いは、嵌め込み式照明器具の内の一つであることを特徴とする、請求項１に記載の無停電照明器具。
【考案の詳細な説明】
【技術分野】
【０００１】
本考案は照明器具に関し、特に元々の電源供給システムの作動を維持させつつ、無停電効果を達成することができる無停電照明器具に関する。
【背景技術】
【０００２】
緊急照明設備とは、一般的に、正常な電力が中断された時に、照明効果を提供し続けることができる照明装置のことを指し、自宅、仕事場、緊急避難通路の適度な照明を維持することができ、それにより、短時間内に仕事を終わらせることができ、また、緊急な状況になった時に、避難できるように導いて、スムーズに逃げることができる。
【０００３】
また、現在市場に出回っている緊急照明設備は、大多数が、非常出口や、各通路の曲がり角に設けられている。このような設置方法により、通常電力が中断した時に、それまでと同様に、一定の輝度の照明効果を維持することができ、それにより、正確な避難経路を示すことができる。近年では、家での生活品質が高まるにつれて、建築物の設計は、快適性を備える以外に、安全性もかなり重要なポイントとなっている。
【０００４】
この種の緊急照明設備内には、交流、直流電源自動切り換え装置が設けられており、通常、交流電源が出力する相当の直流電源により、予備の電池が自動的に充電され、電気量が満タンになると、自動的に充電が停止される。停電の時は、予備の回路に自動的に切り替わり、予備の電源によって電気が供給され、緊急照明として用いられる。
【考案の概要】
【考案が解決しようとする課題】
【０００５】
そこで、本考案は、一般的な電力供給システムの中で、元々の作動方式を維持しつつ、停電時に、貯蔵していた電力を出力して照明器具の稼働維持させることができる、無停電照明器具を提供することを目的とする。
【課題を解決するための手段】
【０００６】
上述の目的を達成するために、本考案による無停電照明器具は、少なくとも一つの発光素子と、前記発光素子に連結されて作動する駆動連結モジュールとからなる。また、前記駆動連結モジュールは、電力信号を受信するワイヤレス受信器と、前記ワイヤレス受信器に電気的に接続されて起動させる電源供給ユニットと、前記電源供給ユニットから生じた電気エネルギーを前記発光素子に送る駆動ユニットと、前記電源供給ユニットと一緒に作動して前記電源供給ユニットの電力を維持させる充電ユニットとからなる。前記ワイヤレス受信器は、電源検知装置にデータリンクされ、前記電源検知装置は、電力供給線に接続され、前記発光素子は、ハロゲンランプ、白熱灯、蛍光灯、或いは、発光ダイオード（Ｌｉｇｈｔ  Ｅｍｉｔｔｉｎｇ  Ｄｉｏｄｅ，ＬＥＤ）の内の一つである。また、前記照明器具は、電球、蛍光灯、或いは、嵌め込み式照明器具の内の一つである。
【考案の効果】
【０００７】
上述の構造と組み合わせによる電源検知装置は、電力供給線に接続されるとともに、電力供給線の電圧状態を検知し、電圧状態が正常の時は、電力供給線の電力供給が正常であることを表し、この時、少なくとも一つの発光素子は発光して作動する。電圧状態が異常の時は、駆動連結モジュール内に設けられたワイヤレス受信器が、電源検知装置内のワイヤレス発射器の異常電力信号を受信し、貯蔵された電力を出力して照明器具の作動を維持させることができる。
【図面の簡単な説明】
【０００８】
【図１】本考案の実施例１のブロックチャートである。
【図２】本考案の実施例１の実施を示したフローチャート１である。
【図３】本考案の実施例１の実施を示したフローチャート２である。
【図４】本考案の実施例２の実施を示した説明図である。
【考案を実施するための形態】
【０００９】
（実施例１）
図１を参照する。図１は、本考案の実施例１のブロックチャートである。図から分かるように、本考案の無停電照明器具の照明器具１は、少なくとも一つの発光素子１０（例えば、ハロゲンランプ、白熱灯、蛍光灯、或いは、発光ダイオード（Ｌｉｇｈｔ  Ｅｍｉｔｔｉｎｇ  Ｄｉｏｄｅ，ＬＥＤ））と、発光素子１０と連結して作動する駆動連結モジュール２０とからなる。駆動連結モジュール２０は、ワイヤレス受信器２１と、電源供給ユニット２２と、駆動ユニット２３と、充電ユニット２４とからなる。
【００１０】
ワイヤレス受信器２１は、電力信号を受信する。電源供給ユニット２２は、ワイヤレス受信器２１に電気的に接続されて起動させる。駆動ユニット２３は、電源供給ユニット２２が発する電気エネルギーを発光素子１０に送る。充電ユニット２４は、電源供給ユニット２２と一緒に作動し、電源供給ユニット２２の電力を維持させる。
【００１１】
ワイヤレス受信器２１の信号は、電源検知装置３０にデータリンクされ、電源検知装置３０は電力供給線４０に連結される。また、前記電源検知装置３０は、ワイヤレス発射器３１と、電力供給素子３２と、電力検知ユニット３３と、制御ユニット３４とからなる。
【００１２】
ワイヤレス発射器３１は、電力信号をワイヤレス受信器２１へ発射する。電力供給素子３２には、電力供給線４０が電圧異常信号の状態でも電源検知装置３０及びワイヤレス発射器３１が電力信号を発することができるのに十分な電力が保存されている。電力検知ユニット３３は、電力供給線４０の電力状態を検知する。制御ユニット３４は、電力検知ユニット３３から生じた電圧異常信号を受信して、制御信号をワイヤレス発射器３１へと発する。また、交流変圧器３５が、電源検知装置３０に設けられる。
【００１３】
なお、照明器具１（例えば、電球、蛍光灯、或いは、嵌め込み式照明器具）は、操作者が使用するための導通スイッチ５０に連結される。
【００１４】
上述の構造、組合せによる本考案を使用したときの作動状況について以下に説明を行う。図１から図３を参照する。図１は、本考案の実施例１のブロックチャートであり、図２は、本考案の実施例１の実施を示したフローチャート１であり、図３は、本考案の実施例１の実施を示したフローチャート２である。図から分かるように、電源検知装置３０は、交流変圧器３５の一端に連結された電力検知ユニット３３を介して電力供給線４０の電力信号状態を検知する。電力供給線４０の電圧が正常の時は、電力供給線４０の電力供給が正常であることを意味する。この時、電力検知ユニット３３は、異常信号を発しないため、制御ユニット３４は作動せず、ワイヤレス発射器３１も電力異常信号を発しない。このため、照明器具１（例えば、電球、蛍光灯、或いは、嵌め込み式照明器具）に連結された駆動連結モジュール２０も、緊急電力供給機能を作動させない。また、同時に、充電ユニット２４が起動され、充電ユニット２４によって、電源供給ユニット２２内部の電力が増強及び維持される。反対に、導通スイッチ５０がオフの状態だと、充電ユニット２４が起動されず、電源供給ユニット２２に対する充電が行われない。
【００１５】
反対に、電力供給線４０の電圧に異常が発生した状態、或いは、電力を供給できない時は、電力検知ユニット３３が電圧異常信号を制御ユニット３４に発し、制御ユニット３４が制御信号を前記ワイヤレス発射器３１に発する。この時、電力供給線４０は正常に電力の供給を行うことができないため、電力供給素子３２（コンデンサを例にとる）内に蓄えられた電気エネルギーを利用して、電力供給線４０が電圧異常の状態でも、ワイヤレス発射器３１が電力異常信号を一定時間発し続けることができる。なお、電力信号を発射できる時間の長さは、電力供給素子３２の設計によって決まる。
【００１６】
照明器具１（例えば、電球、蛍光灯、或いは、嵌め込み式照明器具）に連結された駆動連結モジュール２０が、ワイヤレス受信器２１を介して電力異常信号を受信した時は、駆動ユニット２３によって電源供給ユニット２２が起動され、電源供給ユニット２２内に貯蔵された電力によって、照明器具１（例えば、電球、蛍光灯、或いは、嵌め込み式照明器具）に電源供給を行い作動を維持させることができる。
【００１７】
このように、上述の構造は、一般の電気供給システム内で、元々の稼働方式を維持しつつ、停電の時には、貯蔵していた電力を出力して照明器具１内の発光素子１０（例えば、電球、蛍光灯、或いは、嵌め込み式照明器具）の発光を維持させることができる。
【００１８】
（実施例２）
図４を参照する。図４は、本考案の実施例２の実施を示した説明図である。図３から引き続き、電力供給素子３２ａは、充電電池を例にとる。各照明器具１ａは、通電状態を選択することができる導通スイッチ５０ａに電気的に接続され、電力供給線４０ａの電圧に異常が発生した時、或いは、電力を供給できない時、電力検知ユニット３３ａは、電圧異常信号を制御ユニット３４ａへと発し、制御ユニット３４ａは、制御信号をワイヤレス発射器３１ａへ発する。電力供給線４０ａは電力を供給することができないため、電力供給素子３２ａ内に貯蔵された電気エネルギーにより、電力供給線４０ａが電圧異常状態でも、ワイヤレス発射器３１ａは電力異常信号を発することができる。なお、電力信号を発射できる時間の長さは、電力供給素子３２ａの設計によって決まる。
【００１９】
照明器具１ａに連結された駆動連結モジュール２０ａが、ワイヤレス受信器２１ａを介して電力異常信号を受信した時、照明器具１ａを起動させ、緊急電力供給機能を稼働させることができる。
【００２０】
また、前述した電力供給素子３２ａは、一次電池にすることができ、ワイヤレス発射器３１ａが電力信号を発するための一次的な電力を供給することができる。
【００２１】
全ての図を参照する。本考案を使用すると、従来の技術と比べて、以下の利点が存在する。
一、電力供給素子３２の電力供給によって、停電状態の時に、ワイヤレス発射器３１を作動させることができ、停電によって作動できないという問題を生じないようにすることができる。
二、信号の受信漏れにより照明器具１が誤作動する確率を大幅に減らすことができる。
三、電力がある状態の時は、ワイヤレス発射器３１は、ワイヤレス受信器２１に信号を発し続ける必要がないため、電力の消耗を抑えることができる。
四、元々の電気供給システムを維持することができると同時に、無停電システムを提供することができる。
五、元々の電力供給線４０を維持できると同時に、無停電システムを提供することができる。
六、複数の照明器具１に対して同時にワイヤレス信号の送信を行うことでき、停電の時に、各駆動連結モジュール２０によって、各照明器具１を作動させることができる。
【符号の説明】
【００２２】
１、１ａ      照明器具
１０          発光素子
２０、２０ａ  駆動連結モジュール
２１、２１ａ  ワイヤレス受信器
２２          電源供給ユニット
２３          駆動ユニット
２４          充電ユニット
３０          電源検知装置
３１、３１ａ  ワイヤレス発射器
３２、３２ａ  電力供給素子
３３、３３ａ  電力検知ユニット
３４、３４ａ  制御ユニット
３５          交流変圧器
４０、４０ａ  電力供給線
５０、５０ａ  導通スイッチ
【図１】
0003175935.tif 000003
【図２】
0003175935.tif 000004
【図３】
0003175935.tif 000005
【図４】
0003175935.tif 000006